(57)【要約】      （修正有）【課題】長襦袢ときものとを同時に簡易に着られ、長襦袢の後衿を簡単に抜く事ができ、美しい装いが可能とする着物を提供。【解決手段】長襦袢のだて袖を縫いつけた立体縫製の着物と袖無しの立体縫製の長襦袢３を、着物の衿の内側面と長襦袢の衿５の外側面にそれぞれ設けられた面ファスナー６で後衿を着付け前に予め止付けて一体に羽織れるように組合せ、かつ長襦袢の背の内側には衿抜き用通しベルト１１とを備え、長襦袢の前身頃の衿の下部分には長襦袢用第１バンド１５と、長襦袢の外から前見頃側へ回される長襦袢用第２バンド１４と、これら長襦袢用第１及び第２のバンドの係合部材１６，１７とを備え、着物長襦袢には身八口を通して前見頃側へ回される着物用第１バンドと、着物の外からの前見頃側へ回される着物用第２バンドと、これら着物用第１及び第２のバンドの係合部材とを備えた着物。【選択図】図１
2010043389.tif 000002
【特許請求の範囲】
【請求項１】
長襦袢のだて袖を予め縫いつけた立体縫製のきものと袖無しの立体縫製の長襦袢とを、前記きものの衿の内側面並びに前記長襦袢の衿の外側面にそれぞれ設けられた面ファスナーで後衿部分において着付け前に予め止め付けられて一体となって羽織れるように組み合わせ、かつ前記長襦袢の背の内側には衿抜きのための力布と該力布に通されて当該長襦袢の内側で着用者の体に巻き付けられる衿抜き用通しベルトとを備える一方、長襦袢の前身頃の衿の下部分には身八口を通して長襦袢の内側から外へ抜けて前見頃側へ回される長襦袢用第１のバンドと、長襦袢の外から背側へ回って反対側の前見頃側へ回される長襦袢用第２のバンドと、これら長襦袢用第１及び第２のバンドを係合させる長襦袢用係合部材とを備え、前記きものには身八口を通してきものの内側から外へ抜けて前見頃側へ回されるきもの用第１のバンドと、きものの外から背側へ回って反対側の前見頃側へ回されるきもの用第２のバンドと、これらきもの用第１及び第２のバンドを係合させるきもの用係合部材とを備え、前記長襦袢の衿抜きの深さを前記衿抜き用通しベルトを着用者の体の前へ回して固定することにより決定してから、前記長襦袢用第１及び第２のバンド及び前記きもの用第１及び第２のバンドを用いて前記長襦袢及び前記きものを順に着用することを特徴とする立体縫製きもの。
【請求項２】
前記きものの袵の上端縁部分を着用状態で水平となるように形成すると共に該上端縁付近に前記長襦袢用第１及び第２のバンドの一端を取付け、前記長襦袢用第１及び第２のバンドを締め付けたときに水平方向に両端の衿先部分を締め付けるものである請求項１記載の立体縫製きもの。
【請求項３】
前記衿抜きのための力布は前記衿抜き用通しベルトを通過させるベルト通し筒部を互いに高さの異なる複数段備え、前記衿抜き用通しベルトを通す前記ベルト通し筒部を選択することで衿抜きの深さを調整可能としたものである請求項１または２記載の立体縫製きもの。
【発明の詳細な説明】
【技術分野】
【０００１】
本発明は、洋服のような感覚で誰にでも容易に着用できる立体縫製きものに関する。さらに詳述すると、本発明は、長襦袢を含めて容易な着用を可能とする立体縫製きものに関する。
【背景技術】
【０００２】
近年、誰にでも簡単かつ迅速に装うことができるように、縫製した際に着用者の身体に適合するように予め立体裁断された上衣部、お端折り部、下衣部を曲線縫製して立体的に構成されたきもの（立体縫製きもの）が提案されされている（特許文献１）。
【０００３】
この立体縫製きものは、近年のきもの離れの大きな原因となっている着付けの難しさを解消するために、可能なかぎり簡略化された構成・構造となっており、本格的なきものの装いには不可欠の肌襦袢、裾よけ、長襦絆などを可能な限り省いて、尚かつ着崩れが少なく見栄えの良いものとする様々の工夫が提案されている。
【０００４】
例えば、着物を機会の少ない人にとっては長襦絆の着用は容易なことではないことから、長襦袢を着ないで済むように、スナップ釦とそれを介挿させるためのループを用いることにより半衿の着脱を容易にした立体縫製きものが知られている（特許文献２）。また、半衿を着物の衿の内側に粘着テープを利用して着脱自在に取り付けるようにする簡易きものも提案されている（特許文献３）。
【０００５】
一方、正式な長襦袢を着用する場合には、長襦袢を羽織り、左右の衿先を合わせて前身頃の合わせ位置を手で押さえながら後衿を引き下ろして後衿の深さを決め、その後伊達締めなどを用いて、長襦袢の外側から巻き締めなければならない。このため、伊達締めで締め付ける前に長襦袢の下前を合わせる際に抜いた衿が前にきてしまうなど、後衿の形状が安定せず着崩れが生じ易いという問題がある。
【０００６】
そこで、長襦袢の着付けを簡易にするため、衿抜き（通常衣紋を抜くと言われ、後衿の深さを調整すること）を容易にする工夫が提案されている。例えば、長襦袢の表側の背中に上段、中段、下段と異なる高さのバチ形状の衿抜き用紐通し布を設け、衿抜き用紐通し布のいずれかの段に通された長襦袢用紐の両端を身八つ口から身体の前方に出して結ぶことにより、後ろ手を要する事なく簡単に後衿を形成し和服姿を美しく着こなせるようにしたものが提案されている（特許文献４）。
【０００７】
また、長襦袢の背面内側に衿抜き用紐通し布を設け、その布に予め衿抜き用紐の一端に面ファスナー（マジックファスナー：登録商標）を付した面を交互になるように揃えて二本の紐を通し、その両端をそれぞれ身八ッ口を通して外側に出された長襦袢において、着付けの際、左右衿先に設けられた平面ファスナーにそれぞれ衿抜き用紐の平面ファスナーを接着して、長襦袢衿元を整えつつ紐の他端を前身で結び着付けてなる長襦袢がある（特許文献５）。
【０００８】
【特許文献１】特公平５−６５６０１
【特許文献２】実公昭６３−２４０４
【特許文献３】特開２００６−７０３６６
【特許文献４】実用新案登録第３１０５２８９
【特許文献５】特開２００２−２８５４０２
【発明の開示】
【発明が解決しようとする課題】
【０００９】
しかしながら、従来から知られる立体縫製きものは上記のように改良されて来たにも拘らず、着易さや着崩れにくさ、着装した際の美麗さにおいて、未だ改良の余地があるものである。
【００１０】
即ち、きものそのものを簡易に着やすい構造としても、その下に長襦絆などを着崩れのないように衿の形を整えて見栄え良く着ることは、熟練のないものには一人で手早くかつ容易に簡単にはできない。特に、長襦袢の着用は、伊達締めで締め付ける前に長襦袢の下前を合わせる際に抜いた衿が前にきてしまうなど、後衿の形状が安定せず着崩れが生じ易いという問題がある。長襦袢は、下着としてきものの良し悪しを左右すると共にコーディネートのポイントともなる重要な存在であり、衿の合わせ加減や衿の抜き具合など、長襦袢の着方で着姿がかなり決まってしまうものであることから、熟練のないものには一人で手早くかつ簡単には着ることはできない。
【００１１】
また、特許文献４および５に記載の長襦袢においても、短時間で着るためにきものと長襦袢を同時に羽織って長襦袢の外側から長襦袢用紐を体に巻くには、きものと長襦袢の間に手を通して長襦袢用紐などを探さなければならず、簡単には着付けができない問題がある。このため、長襦袢を着てからきものを着るのが通常であり、その分だけ着付けに時間がかかってしまう問題がある。つまり、従来、きものと長襦袢を組み合わせて同時に着用でき、かつきものと長襦袢とを同時に着用した状態で衿抜きが容易にでき、かつ簡易に長襦袢を着ることができる構造の立体縫製きものはない。
【００１２】
また、長襦袢の代わりに着脱自在な半衿をきものの衿の内側に取り付ける簡易きものでは、あまりにも簡略化し過ぎるためにきものの装いを楽しむという趣を無くしてしまう不満が生ずる。つまり、衿抜きをして後衿の深さを着物の特徴などに適したものとするなどの、細部にわたっての調整が出来ず、単に着物の衿に固着するといった内容に過ぎない。いかにも、簡易版といった印象を拭い去れない。
【００１３】
また、従来の立体縫製きものにおいては、衿先に縫い付けたバンドで締め付けることにより止め付けるため、衿先を肩側へ引き上げる力が働くため、長時間装着した際などに衿元にだぶつきを生じることがある。
【００１４】
そこで本発明は、長襦袢ときものとを同時に洋服感覚で簡易に着ることを可能としながらも、着崩れせずに長襦袢の後衿を簡単に抜く事ができ、着物の特徴に適した後衿の深さを簡単に造りだせて本格的着物と比べても遜色のない美しい装いが可能な立体縫製きものを提供することを目的とする。
【課題を解決するための手段】
【００１５】
かかる目的を達成するため、本発明の立体縫製きものは、長襦袢のだて袖を予め縫いつけた立体縫製のきものと袖無しの立体縫製の長襦袢とを、きものの衿の内側面並びに長襦袢の衿の外側面にそれぞれ設けられた面ファスナーで後衿部分において着付け前に予め止め付けられて一体となって羽織れるように組み合わせ、かつ長襦袢の背の内側には衿抜きのための力布と該力布に通されて当該長襦袢の内側で着用者の体に巻き付けられる衿抜き用通しベルトとを備える一方、長襦袢の前身頃の衿の下部分には身八口を通して長襦袢の内側から外へ抜けて前見頃側へ回される長襦袢用第１のバンドと、長襦袢の外から背側へ回って反対側の前見頃側へ回される長襦袢用第２のバンドと、これら長襦袢用第１及び第２のバンドを係合させる長襦袢用係合部材とを備え、きものには身八口を通してきものの内側から外へ抜けて前見頃側へ回されるきもの用第１のバンドと、きものの外から背側へ回って反対側の前見頃側へ回されるきもの用第２のバンドと、これらきもの用第１及び第２のバンドを係合させるきもの用係合部材とを備え、長襦袢の衿抜きの深さを衿抜き用通しベルトを着用者の体の前へ回して固定することにより決定してから、長襦袢用第１及び第２のバンド及びきもの用第１及び第２のバンドを用いて長襦袢及びきものを順に着用するようにしている。
【００１６】
したがって、本発明の立体縫製きものによると、予め後衿部分が面ファスナー（商品名：マジックテープ）で止め付けられて一体となって着られるように組み合わせられた着物と長襦袢とを重ねて羽織っただけの状態で、力布に通した衿抜き用通しベルトを長襦袢の内側で体の前に回して体に巻き付けながら後衿の深さを決めて固定し、その後長襦袢用第１及び第２のバンド並びにきもの用第１及び第２のバンドを使って長襦袢ときものとを順次着用して着付けを完了することができる。
【００１７】
また、本発明の立体縫製きものは、きものの袵の上端縁部分を着用状態で水平となるように形成すると共に該上端縁付近に長襦袢用第１及び第２のバンドの一端を取付け、長襦袢用第１及び第２のバンドを締め付けたときに水平方向に両端の衿先部分を締め付けるようにしている。
【００１８】
さらに、本発明の立体縫製きものの衿抜きのための力布は、衿抜き用通しベルトを通過させるベルト通し筒部を互いに高さの異なる複数段備え、衿抜き用通しベルトを通すベルト通し筒部を選択することで衿抜きの深さを調整可能とするようにしている。
【発明の効果】
【００１９】
請求項１記載の立体縫製きものによれば、予め後衿部分が面ファスナーで止め付けられて一体となって着られるように組み合わせられた着物と長襦袢とを重ねて羽織っただけの状態で、力布に通した衿抜き用通しベルトを長襦袢の内側で体の前に回して体に巻き付けるだけで後衿の深さを決めて固定することができる。つまり、長襦袢を羽織って前身頃の合わせ位置を手で押さえながら後衿を下方向に引き下ろし、背面側から前身頃へと長襦袢用紐で結び留めることで後衿の深さを決めていた従来の長襦袢の着付けに比べて、両手を自由に動かせる状態で背中側に在る衿抜き用通しベルトを掴んで前に回して任意の衿の深さをつくることができるので、熟練していなくとも一人で手早くかつ容易に衿抜きができる。しかも、長襦袢の内側で衿抜き用通しベルトを体の前に回して体に巻き付けるだけで後衿の深さを決めて固定するようにしているので、後衿部分で面ファスナーにより一体化されたきものと長襦袢とを羽織った状態でも、簡単に長襦袢の内側の背側にある衿抜き用通しベルトを探し出して前方へ回し、所望の衿深さに衿を抜いた状態で長襦袢の背側を体に固定することができる。このため、その後の長襦袢用第１及び第２のバンドを利用した長襦袢の前側の固定の際に、衿の形や深さが変わって着崩れを惹起することがない。依って、熟練していなくとも一人で手早くかつ容易に衿抜きができる。
【００２０】
また、衿抜き深さが決まった後に長襦袢ときものとを順次着付けして行くので、熟練していなくとも一人で手早く（３分程度）かつ容易にきものを着ることができる。しかも、衿抜き深さが決まった状態で後衿部分で予め取り付けられ一体となって着られるように組み合わせられた長襦袢ときものとをバンドで順次固定することから、着崩れを起こし難い。
【００２１】
したがって、長襦袢ときものとを重ねて同時に洋服感覚で一人で手早くかつ容易に着ることを可能としながらも、着崩れせずに長襦袢の後衿を簡単に抜くことができ、本格的着物と比べても遜色のない美しい装いが可能となる。
【００２２】
さらに請求項２記載の立体縫製きものによれば、衿先の重なった部分が互いに逆向きに水平に引っ張られた状態で固定されるため、衿先を肩側へ引き上げる力が働かないため、長時間着用しても衿元にだぶつきを生じることが少ない。つまり、着崩れを起こしやすい襟元においてより一層着崩れし難いものとなる。
【００２３】
さらに、請求項３記載の立体縫製きものによれば、衿抜き用通しベルトを通す力布のベルト通し筒部を選択することで衿抜きの深さを簡単に調整可能とすることができる。
【発明を実施するための最良の形態】
【００２４】
以下、本発明の構成を図面に示す実施形態に基づいて詳細に説明する。
【００２５】
図１から図４に本発明の立体縫製きものの実施の一形態を示す。この立体縫製きものは、長襦袢のだて袖２を予め縫いつけた立体縫製のきもの１と、袖無しの立体縫製の長襦袢（以下、本明細書ではインナーと呼ぶ）３とを、きもの１の衿の内側面並びにインナー３の衿５の外側面にそれぞれ設けられた面ファスナー６で後衿４，５部分において着付け前に予め止め付けられて一体となって着られるように組み合わせられている。
【００２６】
ここで、インナー３は、きもの１と同様に、縫製した際に着用者の身体に適合するように予め立体裁断されたパーツを曲線縫製して立体的に構成されたものであり、袖を設けずにきもの側に伊達袖２として予め縫い付けられている。このインナー３の後衿５の外側面には面ファスナ６ーが縫製あるいは接着などで取付けられており、きもの１の後衿４の内側面に縫い付けられた対となる面ファスナー７との間で着脱自在に設けられている。即ち、立体縫製のきもの１とインナー３とは、予め後衿４，５の面ファスナー６，７で互いに止め付けられて一体となって着られるように組み合わせられている。
【００２７】
また、インナー３には、背の内側に衿抜きのための力布９が設けられている。この力布９は、下に引っ張ることで衿抜きを可能とするものであり、例えば後身頃８の背中心において上端が後身頃８と衿５との縫い合わせ部分に、下端が身八ッ口１０と同程度の高さの位置でインナーの後身頃の背中心に対して左右対称になるよう配置されて縫い付けられている。したがって、力布９に通された衿抜き用通しベルト１１をインナー３の内側で着用者の体に巻き付けながら着用者の体の前へ回して固定することにより、インナー３の衿抜きの深さを決定して固定することができる。
【００２８】
さらに、本実施例の場合、力布９には、衿抜き用通しベルト１１を通すための筒状の複数のベルト通し、例えば上段１２ａ、中段１２ｂ、下段１２ｃの三通りのベルト通しが背丈方向に備えられ、いずれかのベルト通し１２ａ，１２ｂ，１２ｃを選択して衿抜き用通しベルト１１を通すことで衿抜きの深さを調整可能としている。即ち、上段１２ａ、中段１２ｂ、下段１２ｃの三通りのベルト通しは、ほぼ同じ高さで体に固定される衿抜き用通しベルト１１が通されることにより力布９を下に引っ張る力を与えたり、あるいは引っ張る力を解放したりすることにより、着物の個性及び特徴に応じた後衿の深さを簡単に造りだせる。例えば、最下段１２ｃは普段着等での衿抜き、中段１２ｂは訪問着等での衿抜き、最上段１２ａはより深い衿姿が必要となる着物等、夫々の個性に適したベルト通し高さを設定することができる。しかも、衿抜き用通しベルト１１を締め付けて固定した時には後衿を下げた状態で固定されるため衿５の抜きが安定する。
【００２９】
また、衿抜き用通しベルト１１は、本実施形態の場合、その両端に面ファスナー１３ａ，１３ｂを備えたゴムベルトを用いるようにしている。本実施形態の場合、衿抜き用通しベルト１１は調整が容易なゴムベルトを使用しているがこれに特に限定されるものではなく、長さが調整可能な布ベルトや紐を用いるようにしても良い。
【００３０】
インナー３にはさらに、前身頃の衿の下部分に身八口１０を通してインナー３の内側から外へ抜けて前見頃１８側へ回されるインナー用第１のバンド１５と、インナー３の外から背側へ回って反対側の前見頃１８側へ回されるインナー用第２のバンド１４とがそれぞれ設けられている。これらインナー用第１及び第２のバンド１５，１４はインナー３の周りを巻き締めるようにして体の前で互いの端部を係合させるインナー用係合部材１６，１７を備える。本実施形態の場合、インナー用第１及び第２のバンド１５，１４としては、ゴムバンドが使用されており、少なくとも一方のバンドの端部にはインナー用係合部材としてフック形の連結金具（一般に「かね」と呼ばれる）１６を備えると共に他方のバンドの端部にはフック形連結金具を引っ掛ける輪１７が形成されており、一方のバンドのフック形連結金具１６を他方のバンドの輪１７に引っ掛けることによって、着脱自在に固定可能とされている。このインナー用第１及び第２のバンド１５，１４は、特に限定されるものではないが、インナー３の前身頃の衿の下部分に直接縫い付けるようにして固着するようにしている。
【００３１】
他方、立体縫製きもの１は、例えば主に上部身頃１９と下部身頃２０とおはし折り２１とを別々に縫って仮仕上をしたものを、腰部接続の曲線部分のサイズを合わせ、それを所定のきもの掛に掛け、身頃がつれない様に止めを入れ、一体化の仕上げ縫いをすることにより仕上げられるものである。因みに、立体縫製きものの構造並びに縫製方法についての詳細は例えば特公平５−６５６０１等において良く知られているので、その説明を割愛する。
【００３２】
ここで、本実施形態の立体縫製きもの１は、下部見頃２０のおはし折り２１で隠れる部分において縫い上げ部２２を設け、必要に応じて縫い上げ部２２を降ろすことにより下部見頃２０の長さを変更可能として身長に応じて着物の長さを調整可能としている。例えば、下部見頃２０のおはし折り２１で隠れる部分を折り返して平行に３箇所で縫い付けることにより縫い上げ部２２を設けると、任意の縫い付け糸２３を抜糸することで、最大４段階の長さ調整を可能としている。尚、立体縫製きもの１には予め長襦袢の伊達袖２が縫い付けられており、袖を通すのを容易にして短時間で羽織れるようにされている。
【００３３】
また、本実施形態の立体縫製きもの１は、きもの１の袵２４の上端縁２５部分を着用状態で水平となるように形成し、この上端縁２５の近傍に上端縁２５と平行にきもの用第１及び第２のバンド２６，２７をそれぞれ取付け、各バンド２６，２７を締め付けたときに水平方向に両袵２４の上端縁２５と衿先部分を締め付け得るように構成されている。したがって、衿先を肩側へ引き上げる力が働かないため、長時間着用しても衿元にだぶつきを生じることが少ない。
【００３４】
立体縫製きもの１の下前側のきもの用第１のバンド２６の固定部のやや下には、きもの用第１のバンド２６を巻き付けるためのループ３４が設けられている。このループ３４きもの用第１のバンド２６を巻き付けるように通してからきもの用第２のバンド２７と係合させることにより、本来のきもの用第１のバンド２６が固定されるフック掛け３２の位置（バンド固定位置）近くまでループ３４の位置を持ち上げることにより、下前を持ち上げることができるので、きものの裾が広がらずに着ることができ、装いが一層美しいものとなる。
【００３５】
ここで、立体縫製きもの１の下袵側に取り付けられるきもの用第１のバンド２６は、身八口３０を通してきもの１の内側から外へ抜けて前見頃３１側へ回され、上袵側に取り付けられるきもの用第２のバンド２７は、きもの１の外から背側へ回って反対側の前見頃３１側へ回される。そして、これらきもの用第１及び第２のバンド２６，２７の両端を体の前で係合させるきもの用係合部材２８，２９を備える。本実施形態の場合、きもの用第１及び第２のバンド２６，２７としては、ゴムバンドが使用されており、少なくとも一方のバンドの端部にはきもの用係合部材として一般に「かね」と呼ばれるフック形連結金具２８を備えると共に他方のバンドの端部にはフック形連結金具２８を引っ掛ける輪２９が形成されており、一方のバンドのフック形連結金具２８を他方のバンドの輪２９に引っ掛けることによって、着脱自在に固定可能とされている。さらに本実施形態の場合、きもの用第１及び第２のバンド２６，２７は、きもの１の袵２４の上端縁２５部分にフック形連結金具３３のフック部分を引っ掛ける筒型のフック掛け３２を備え、きもの１に対して当該バンド２６，２７を着脱自在に取り付けるようにしている。この場合、きもの１を折り畳むときに、バンド２６，２７をきもの１から取り外すことができるので、きもの１の折り畳みが容易となる。尚、フック掛け３２は、各バンド２６，２７に応じてそれぞれ１箇所づつでも良いが、場合によってはバンド巻回方向に位置をずらして複数箇所設け、フック形連結金具３３を引っ掛ける位置をずらすことにより着用者の胴回りのサイズ変動に応じてバンド取付位置の調整を可能とすることが好ましい。勿論、各バンド２６，２７の端部をきものの袵２４部分に直接縫い付けるようにして固着するようにしても良い。
【００３６】
以上のように構成された立体縫製のきもの１とインナー３は、次のようにして簡単に着用できる。まず、所望とするインナー３の衿抜きの深さに応じて衿抜き用通しベルト１１を通す力布９のベルト通し１２ａ，１２ｂ，１２ｃの位置・段を決め、該当する段のベルト通しベルト通し１２ａ，１２ｂあるいは１２ｃに衿抜き用通しベルト１１を通す。
【００３７】
また、インナー３の後衿５の外側の面ファスナー６ときもの１の後衿４の内側の対となる面ファスナー７とを貼り合わせてインナー３と立体縫製きもの１とを後衿４，５部分で一体化し、互いの関係を固定してきもの１とインナー３を同時に羽織れるようにする。
【００３８】
次に、後衿４，５部分で背中の一体化され組み合わせられたインナー３ときもの１とに袖を通して同時に羽織る。そして、インナー３の内側から手を背中に回して衿抜き用通しベルト１１の両端を探し出して体の前へ回し、衿抜き用通しベルト１１の両端の面ファスナー１３ａ，１３ｂを貼り合わせることで固定する。これにより、衿抜き用通しベルト１１が力布９の通されたベルト通しの段１２ａ，１２ｂ，１２ｃの位置に応じて、力布９が下に引っ張られて固定されるので、インナー３の衿抜きの深さが決められると同時に固定され、その後のインナー３、きもの１の着付けにおいて着崩れを起こすことがない。
【００３９】
その後、インナー用第１及び第２のバンド１４，１５及びきもの用第１及び第２のバンド２６，２７を用いてインナー３及びきもの１を順に着用することにより着付けは完了する。
【００４０】
なお、上述の実施形態は本発明の好適な実施の一例ではあるがこれに限定されるものではなく、本発明の要旨を逸脱しない範囲において種々変形実施可能である。
【図面の簡単な説明】
【００４１】
【図１】本発明の立体縫製きものを構成するインナーの一実施形態を示す正面図である。
【図２】本発明の立体縫製きものを構成するきものの一実施形態を示す正面図である。
【図３】インナーときものとを一体化した状態を示す正面図である。
【図４】インナーの力布の一実施形態を示す縦断面図である。
【符号の説明】
【００４２】
１  立体縫製きもの
２  長襦袢の伊達袖
３  立体縫製インナー
４  きものの後衿
５  インナーの後衿
６  インナーの後衿の外側の面に設けられている面ファスナー
７  きものの後衿の内側の面に設けられている面ファスナー
９  力布
１０  身八ッ口
１１  衿抜き用通しベルト
１２ａ，１２ｂ，１２ｃ  筒状のベルト通し
１３ａ，１３ｂ  衿抜き用通しベルトの両端の面ファスナー
１４  インナー用第１のバンド
１５  インナー用第１のバンド
１６，１７  インナー用係合部材を構成するフック形連結金具とそれが引っ掛けられる輪
２２  縫い上げ部
２４  袵
２５  袵の上端縁
２６  きもの用第１のバンド
２７  きもの用第２のバンド
２８，２９  きもの用係合部材を構成するフック形連結金具とそれが引っ掛けられる輪
３０  身八ッ口
３２  筒状のフック掛け
３３  フック形連結金具
【図１】
2010043389.tif 000003
【図２】
2010043389.tif 000004
【図３】
2010043389.tif 000005
【図４】
2010043389.tif 000006